(57)【要約】  鏡に映った人物（２）を見るためのミラー装置（１）であって、光源（３）と、人物（２）と光源（３）との間の直接光を遮るためのスクリーン（４）と、光源（３）によって生じた光を反射するための反射鏡（５）と、人物（２）が自分自身を見ることができる少なくとも１つの視野範囲（６）とを含み、スクリーン（４）は、直接光が人物（２）に届かないように人物と光源との間に配置される。反射鏡（５）は、視野範囲（６）と実質的に１つの平面内に配置されることによって翼部を形成し、および／または、人物が視野範囲を見るときに反射鏡が横に配置され得るように、視野範囲（６）はスクリーンの一部である。反射鏡（５）は、光源（３）から入射する照射を散乱させる拡散器表面（８）を有する。
2020507441.tif 000002
【特許請求の範囲】
【請求項１】
鏡に映った人物（２）を見るためのミラー装置（１）であって、光源（３）と、前記人物（２）と光源（３）との間の直接光を遮るためのスクリーン（４）と、前記光源（３）によって生じた光を反射するための反射鏡（５）と、前記人物（２）が自分自身を見ることができる少なくとも１つの視野範囲（６）とを備え、前記スクリーン（４）は、直接光が前記人物（２）に届かないように前記人物と前記光源との間に配置され、
−前記反射鏡（５）は、前記視野範囲（６）と実質的に１つの平面内に配置されることによって翼部を形成し、および／または
−前記人物（２）が前記視野範囲（６）を見るときに前記反射鏡（５）が横に配置され得るように、前記視野範囲（６）は前記スクリーン（４）の一部であり、および／または
−前記視野範囲は前記光源の後ろに位置しており、前記光源は第２のスクリーンによって前記視野範囲から遮られており、
前記反射鏡（５）は、前記光源（３）から入射する照射を散乱させる拡散器表面（８）を有することを特徴とする、ミラー装置。
【請求項２】
前記拡散器表面（８）は、好ましくは不均一に、特に好ましくはランダムに分布している空洞、特に凹型構造を有することを特徴とする、請求項１に記載のミラー装置（１）。
【請求項３】
前記反射鏡（５）は平坦であるように設計され、好ましくは反射層（９）を有し、前記反射層は特に、前記拡散器表面（８）までの距離が１ｃｍ未満、特に０．８ｃｍ未満であることを特徴とする、前述の請求項のいずれか１項に記載のミラー装置（１）。
【請求項４】
前記反射鏡の長手方向の伸長部（ＬＲ）は、前記反射鏡（５）と前記光源（３）との間の距離（Ａ）の少なくとも４分の１、好ましくは前記反射鏡（５）と前記光源（３）との間の前記距離（Ａ）の少なくとも半分、特に好ましくは前記反射鏡（５）と前記光源（３）との間の前記距離（Ａ）の実質的に半分に対応することを特徴とする、請求項３に記載のミラー装置（１）。
【請求項５】
前記反射鏡（５）、特に前記翼部（７）は、前記ミラー装置（１）の後壁（１０）または本体（１１）に、特に前記本体（１１）の側壁（１６）に、垂直軸Ｈの周りに移動可能に、好ましくは回転可能に接続されることを特徴とする、前述の請求項のいずれか１項に記載のミラー装置（１）。
【請求項６】
部屋を間接的に照らすことができ、かつ好ましくは組立状態において前記ミラー装置（１）の前の人物に直接光が実質的に届かないように、１つ以上の照明装置（１２）が前記後壁（１０）におよび／または前記本体（１１）に配置され、特に前記１つ以上の照明装置（１２）は溝内に引っ込んで配置されることを特徴とする、請求項５に記載のミラー装置（１）。
【請求項７】
前記ミラー装置（１）を開くと、好ましくは調光器スイッチによって前記光源（３）がオンに切換わり、前記ミラー装置（１）を閉じると、好ましくは調光器スイッチによって前記光源がオフに切換わるように、前記反射鏡（５）、特に前記翼部（７）を動かすことによってスイッチ（１３）を作動させることができることを特徴とする、請求項５または６に記載のミラー装置（１）。
【請求項８】
前記反射鏡（５）の後側、好ましくは前記翼部（７）の後側の少なくとも一部は鏡によって形成されることを特徴とする、前述の請求項のいずれか１項に記載のミラー装置（１）。
【請求項９】
特に好ましくは視野範囲（６）である共通のスクリーン（４）の後ろに好ましくは存在する２つの光源（３）が、２つの反射鏡（５）と、好ましくは２つの後方視野範囲（１４）とを有し、前記後方視野範囲の各々は１つの反射鏡（５）と１つの平面内にあることを特徴とする、前述の請求項のいずれか１項に記載のミラー装置（１）。
【請求項１０】
前記反射鏡（５）または前記視野範囲（６）は拡大ミラー（１５）を備えることを特徴とする、前述の請求項のいずれか１項に記載のミラー装置（１）。
【請求項１１】
前記ミラー装置（１）は、反射鏡（５）が配置または固定される少なくとも１つの側壁（１６）を有する、かつ内部に前記光源（３）が配置される反対側の照明器具壁（１７）を有する本体（１１）を備えることを特徴とする、前述の請求項のいずれか１項に記載のミラー装置（１）。
【請求項１２】
２つ以上の側壁（１６）および２つ以上の照明器具壁（１７）が形成され、側壁（１６）の数は照明器具壁（１７）の数に対応することを特徴とする、請求項１１に記載のミラー装置。
【請求項１３】
前述の請求項のいずれか１項に記載のミラー装置（１）を製造する方法であって、
−スクリーン（４）の後ろに光源（３）を配置するステップと、
−前記光源（３）からの光が反射鏡（５）に当たるように、前記反射鏡（５）を前記光源から距離Ａに配置するステップとを備え、前記距離Ａは前記反射鏡の直線の伸長部ＬＲよりも大きく、前記方法はさらに、
−人物のための視野範囲（６）を、前記反射鏡（５）と１つの平面内に配置する、または前記光源（３）用のスクリーン（４）として配置するステップを備え、前記反射鏡は、前記光源（３）から入射する照射を散乱させる拡散器表面（８）を有する、方法。
【請求項１４】
請求項１から１２のいずれか１項に記載のミラー装置（１）で人物を見る方法であって、
−光源（３）によって光を生成するステップと、
−反射鏡（５）を介して前記光源（３）から人物（２）上に前記光を反射するステップとを備え、前記反射鏡（５）は、特に拡散器表面（８）で光を屈折させることによって前記光を反射して散乱させる、方法。
【請求項１５】
鏡の前の人物を照らすための、または人物を写真撮影するための、拡散器表面（８）を有する反射鏡（５）の使用。
【請求項１６】
拡散器表面を有する反射鏡を製造するための方法であって、
−裏側に反射層を有するガラス面を設けるステップと、
−前記反射層から離れた方向を向く側の前記ガラス面の１つ以上の部分領域を粗面化する、特にエッチングするステップと、
−前記ガラス面を反射鏡ガラス板に切断するステップとを備え、前記反射鏡ガラス板の各々は、粗面化されることによって拡散器表面を形成する部分領域を有する、方法。
【発明の詳細な説明】
【技術分野】
【０００１】
本発明は、独立請求項の導入部に係る、鏡に映った人物を観察するためのミラー装置、ミラー装置を製造するための方法、およびミラー装置で人物を観察するための方法に関する。
【背景技術】
【０００２】
現行技術では、照明装置を既に有しているミラー装置が知られている。そのような照明装置は主に、鏡の前の人物を照らすために、またはさらに部屋を照らすために用いられる。照明を有するこれらすべてのミラー装置の問題は、一方では直接光に起因するグレアであり、他方では可能性のあるカバーに起因する光の損失である。
【０００３】
たとえば、ＵＳ１，８６８，１０４には、３つの鏡面を含むミラー装置が開示されており、外側の鏡面の各々の後ろに発光体が装着されている。光は集束反射鏡を介してユーザ上に直接導かれる。このためユーザの目が眩んでしまい、鏡の前の人物は最適に照らされない。
【０００４】
また、ＪＰ２００６−３４０８７７からは、中央のミラープレートがキャビネットから引出され、この引出式プレートの後ろに光源が位置している照明付きミラーキャビネット装置が知られている。光は中央のミラー装置の側面の鏡を介して観察者の目の中に直接導かれるため、観察者は中央の鏡の方向を見た途端に目が眩んでしまう。さらに、鏡の構造は上記の摺動装置のために非常に複雑である。
【０００５】
ＤＥ１０２００５０２６５９４からは、鏡面の後ろに装着された鏡照明装置が知られており、光を鏡面上に直接導く円形の反射鏡が光源の周りに配置されている。反射鏡は集束特性を有しているため、不快な影を生成する。
【発明の概要】
【発明が解決しようとする課題】
【０００６】
したがって本発明の課題は、現行技術の不利点を回避すること、ならびに、人物の最適の照明、およびミラー装置の単純な構造、および優雅な外観を作成する、ミラー装置、ミラー装置を製造するための方法、およびミラー装置で人物を見るための方法を作成することである。
【課題を解決するための手段】
【０００７】
上記課題は、鏡に映った人物を見るためのミラー装置であって、光源と、人物と光源との間の直接光を遮るためのスクリーンと、光源によって生じた光を反射するための反射鏡と、人物が自分自身を見ることができる少なくとも１つの視野範囲とを有するミラー装置によって達成される。スクリーンは、光源からの直接光が人物に実質的に届かないように配置される。反射鏡は、視野範囲と実質的に１つの平面内に配置されることによって翼部を形成し、および／または、人物が視野範囲を見るときに反射鏡が横に配置され得るように、視野範囲はスクリーンの一部である。あるいは、またはさらには、視野範囲は光源の後ろに位置しており、光源は第２のスクリーンによって視野範囲から遮られている。反射鏡は、光源から入射する照射を散乱させる拡散器表面を有する。
【０００８】
そのようなミラー装置によって、ミラー装置の前の人物の、影のない最適の照明が得られる。
【０００９】
拡散器表面を有する反射鏡によって、実質的に光損失のない光の拡散および均一の反射が得られる。拡散器表面は意図的に構成されてもよく、および／またはマット状にされてもよく、および／またはエッチングされてもよい。エッチングは発泡または液体エッチング液で達成され得る。拡散器表面と反対側の表面は反射特性、特に反射面、好ましくは銀面を有する。
【００１０】
視野範囲と１つの平面内の反射鏡とは、本発明の範囲内では、反射鏡および視野範囲がガラスで構成されており、表面処理が異なること、または視野範囲が反射鏡に付けられる、たとえば接着剤で接合されることを意味する。視野範囲は、円形、三角形、正方形、多角形または楕円形などの任意の形状を取り得る。視野範囲は反射鏡の隣にまたは反射鏡内に位置し得る。
【００１１】
光源の後ろの視野範囲とは、本発明の範囲内では、視野範囲がミラー装置の前の人物の視点から光源の後ろに位置することを意味する。視野範囲を介して人物上に直接反射が生じないようにするために、各光源と視野範囲との間に付加的なスクリーンを設ける必要がある。光源からの光は好ましくは拡散器表面上にのみ導かれる。
【００１２】
拡散器表面は、好ましくは不均一に、特にランダムに分布している空洞、特に凹型構造を有してもよい。
【００１３】
そのような凹型構造によって、光の最適の拡散および均一化が得られるため、光損失が低減して観察者の目に映る影が減少する。
【００１４】
凹型構造は、たとえば液体エッチング液を用いたエッチングによって作成されるため、最適の丸みを必ずしも示す必要はなく、丸みのばらつきも示し得る。本願の文脈において、不均一とは凹型構造がさまざまな深さおよびさまざまな大きさであることを意味する。好ましくは、凹型構造は、角部によって境界を付けられた端縁を互いの間に有する。特に、６個よりも多い、好ましくは７個の角部が空洞毎に形成され得る。凹型構造は好ましくはガラス内にエッチングされ、特にエッチング発泡によってガラスの表面に適用される。この結果、凹型構造を有する艶消しのガラス面が得られ、これによって光の最適の拡散が確実になる。空洞は好ましくは実質的に２００μｍの最大膨張を有し、最小膨張は１０μｍ、特に２０μｍ、さらに特に４０μｍである。空洞の深さは好ましくは５〜３０μｍ、好ましくは３〜１０μｍの範囲内である。
【００１５】
反射鏡は平坦であってもよく、好ましくは反射層を有してもよく、当該反射層は特に、拡散器表面までの距離が１ｃｍ未満、特に０．８ｃｍ未満である。
【００１６】
平坦な反射鏡は集光を防止するため、鏡の前の人物の目が眩むことを防止する。反射鏡の反射層によって光損失が減少するため、反射がより明るくなる。反射層と拡散器表面との間の距離が１ｃｍ未満であれば、頑丈であるが軽量で容易に装着可能な反射鏡が得られる。反射鏡は好ましくは、反射鏡内で生じる光の色変化を生じさせないように透明ガラスを含む。色合せが望まれる場合は、当然のことながら色ガラスも考えられる。反射層は好ましくは銀層であり、当該層は特に裏側に保護層が付加的に設けられる。したがって反射鏡の構造は、保護層、反射層およびガラス層を含んでもよく、ガラス層は拡散器表面を含む。保護層の代わりに、さらなるガラス層を形成して、反射層が両側から見えて反射鏡が両側で反射するようにしてもよい。あるいは、第２の反射層およびさらなるガラス層を保護層に付けて、後側も鏡として使用できるようにしてもよい。この場合、２つの保護層は好ましくはボンディング層で、特に接着層でボンディングされる。
【００１７】
反射鏡の長手方向の伸長部ＬＲは、反射鏡と光源との間の距離の４分の１よりも大きくてもよく、好ましくは反射鏡と光源との間の距離の半分よりも大きくてもよく、好ましくは反射鏡と光源との間の距離の半分と実質的に等しくてもよい。光源と反射鏡との間の距離は反射鏡の直線の伸長部よりも大きくてもよく、好ましくは直線の伸長部ＬＲの２倍よりも長くてもよい。
【００１８】
これによって、十分な拡散器配光を達成するための大きな反射鏡表面が提供される。反射鏡の伸長部は、使用可能な状態においてミラー装置の高さ伸長部に対して垂直な軸に沿って延びる。
【００１９】
光源から反射鏡までの距離は少なくとも２０ｃｍ、好ましくは少なくとも４０ｃｍであってもよい。
【００２０】
そのような距離によって、グレアなしの人物の間接的な横からの照明の可能性がもたらされる。
【００２１】
反射鏡、特に翼部は、垂直軸の周りに移動可能、好ましくは回転可能であってもよく、ミラー装置の後壁または本体に接続されてもよい。
【００２２】
したがって、ユーザは自分自身で反射鏡の位置を決定することができるため、自身に最適の照明を達成することができる。
【００２３】
部屋を間接的に照らすことができ、かつ好ましくは設置状態においてミラー装置の前の人物に直接光が実質的に届かないように、１つ以上の照明装置が後壁におよび／または本体に配置されてもよく、特に当該１つ以上の照明装置は溝内に引っ込んで配置される。
【００２４】
これによって、部屋が照らされているときでも快適な間接光が生じる。
光源および照明装置は、白熱電球、蛍光管、ハロゲンランプ、ＬＥＤ、ＯＬＥＤまたは他の光源などの任意の種類の光源であり得る。さらに、照明器具は色が調整可能であってもよく、および／またはさまざまな色を有してもよい。これは光源にも当てはまる。これによってさまざまなムードを作り出すことができ、これは照明器具にとって特に重要である。
【００２５】
ミラー装置を開くと、好ましくは調光器スイッチによって光源がオンに切換わり、および／またはミラー装置を閉じると、好ましくは調光器スイッチによって光源がオフに切換わるように、反射鏡、特に翼部を動かすことによってスイッチを作動させることができる。
【００２６】
したがって、照明が使用されるのは、反射鏡を動かしてミラー装置を開いたときのみである。これによって光源の使用エネルギが節約される。
【００２７】
スイッチは、機械スイッチ、磁気スイッチ、誘導スイッチまたは動作検知器などの任意の公知の種類のスイッチであり得る。光スイッチも考えられる。調光器スイッチによって、光源のゆっくりしたオン切換え、およびしたがってより快適なオン切換えが確実になる。というのも、目が、瞳孔の即時反応を引起す輝度の急激な変化の影響を受けないからである。
【００２８】
反射鏡の後側、好ましくは翼部の後側の少なくとも一部は鏡によって形成されてもよい。
【００２９】
したがって、反射鏡の代わりに室内灯のみを照明に使用する場合は、ミラー装置を鏡として使用することもできる。
【００３０】
本発明の範囲内では、反射鏡または翼部の裏側は、ミラー装置を閉じたときに室内で見える側である。したがって、反射鏡または翼部の表側および裏側が鏡である。
【００３１】
好ましくは、特に視野範囲である共通のスクリーンの後ろにある２つの光源と、２つの反射鏡と、好ましくは２つの後側の視野範囲とがあってもよく、視野範囲の各々は１つの反射鏡と１つの平面内にある。
【００３２】
したがって、ミラー装置の前のそれぞれの人物は両側から均一に照らされることができ、同時に視野範囲内の自分自身を見ることができる。これによって、いずれの側にも不快な影のない自然な鏡像が得られる。
【００３３】
反射鏡または視野範囲は拡大ミラーを含んでもよい。
これによって、人物は同時に拡大された鏡像を見ることができる。拡大ミラーは、接着剤で接合されるなどして反射鏡もしくは視野範囲に付けられてもよいし、または反射鏡もしくは視野範囲と同じガラス内に配置されてもよい。
【００３４】
ミラー装置は、反射鏡が配置または固定される少なくとも１つの側壁を有する、かつ光源が内部の好ましくは溝内に配置される当該側壁と反対側の照明器具壁を有する本体を含んでもよい。反射鏡は側壁に固定されてもよい。
【００３５】
反射鏡は好ましくは回転軸を介して側壁に取付けられるため、側壁に対する角度に関して調節可能である。照明器具壁内の光源用の溝は、溝を介して鏡の前の人物の直接照明を防止する。また、溝内の光源の照射が半透明の拡散器によって既に散乱しているため、好ましくは拡散器を用いることで輝度の損失をできる限り少なくすることもできる。本体は、ミラー装置が同時にキャビネットにもなり、物体を本体の中に、たとえば側壁と照明器具壁との間に配置された棚の上に置くことができるように設計される。
【００３６】
２つ以上の側壁および２つ以上の照明器具壁が形成されてもよく、側壁の数は照明器具壁の数に対応する。
【００３７】
つまり、数人が同じミラー装置を使用することができる。
好ましくは、最適の照明が可能となるように、側壁の数は反射鏡または翼部の数にも対応する。
【００３８】
ミラー装置は浴室用のミラーキャビネットであってもよい。あるいは、ミラー装置は試着室または衣裳部屋の鏡であってもよい。
【００３９】
上記課題はさらに、上述のようなミラー装置を製造するための方法であって、
−スクリーンの後ろに光源を配置するステップと、
−光源からの光が反射鏡に当たるように、反射鏡を光源から距離Ａに配置するステップとを含み、距離Ａは反射鏡の直線の伸長部ＬＲよりも大きく、方法はさらに、
−人物のための視野範囲を、反射鏡と１つの平面内に配置する、または光源用のシールドとしてもしくは光源の後ろに配置するステップを含み、反射鏡は、光源から入射する照射を散乱させる拡散器表面を有する方法によって達成される。
【００４０】
そのようなプロセスによって、人物などの鏡の前の物体の最適の照明を提供するミラー装置を製造することができる。
【００４１】
距離Ａは好ましくは２０ｃｍよりも大きく、特に４０ｃｍよりも大きく、特に好ましくは実質的に４０ｃｍである。
【００４２】
上記課題はさらに、上述のようなミラー装置で人物を観察するための方法であって、
−光源によって光を生成するステップと、
−反射鏡によって光源から人物上に光を反射するステップとを含み、反射鏡は、特に拡散器表面に当たる光を屈折させることによって光を反射して散乱させる方法によって達成される。
【００４３】
そのような方法では、鏡の前の人物が最適に照らされ、人物の顔に不快な影がない。
さらに、上記課題は、拡散器表面を有する反射鏡を製造する方法であって、
−後側に反射鏡層を有するガラス面を設けるステップと、
−反射鏡層から離れた方向を向く側のガラス面の１つ以上の部分領域を粗面化する、特にエッチングするステップと、
−ガラス面を反射鏡ガラス板に切断するステップとを含み、反射鏡ガラス板の各々は、粗面化されることによって拡散器表面を形成する部分領域を有する方法によって達成される。
【００４４】
上述のようなミラー装置に用いられ得る拡散器表面を有する反射鏡は、そのような方法を用いて迅速にかつ安価に製造可能である。
【００４５】
本発明の使用の別の局面によると、上述のような拡散器表面を有する反射鏡は、鏡の前の人物を照らすために、または人物の写真を撮るために用いられる。
【００４６】
この結果、鏡の前の人物上に不快な影を残さない、または写真撮影用の最適光が得られる。
【００４７】
本発明の別の局面は、上述のような拡散器表面を有する反射鏡を用いて作業場、特に医療の作業場または実験室の作業場を照らすことに関する。
【００４８】
結果として生じる、明るい無損失の影のない光は、光学条件に関する要求が高まっている作業場において容易に処理可能であり、すべての細部を影なしで確認することができる。特に、これは医薬品業界のマイクロドーズのスケールにも適用され得る。
【００４９】
本発明の別の代替の局面は、上述のような拡散器表面を有する反射鏡を棚または荷物ラックとして用いることに関し、荷物または物品は反射鏡の後ろに位置しており、拡散器表面は使用中は実質的に下向きである。
【００５０】
これによって拡散器表面を照らすことができ、下方の座席または作業領域を完全に照らすことができる。
【００５１】
本発明のさらなる局面は、実験室ワークステーションのための、特にマイクロドーズのスケールまたは医薬品スケールを照らすための照明装置であって、光源と、拡散器表面および照明表面を有する反射鏡とを含み、光源は反射鏡上に光を照射し、当該光は反射鏡から照明表面上に導かれる照明装置に関する。
【００５２】
そのような照明装置によって、影のない最適の照明が提供される。
拡散器表面は、好ましくは不均一に、特にランダムに分布している空洞、特に凹型構造を有してもよい。
【００５３】
そのような拡散器表面によって、柔らかくて明るい、影のない照明が得られる。
以下に、本発明を図面によってさらに詳細に示す。
【図面の簡単な説明】
【００５４】
【図１】ミラー装置の第１の実施形態の図である。
【図２】ミラー装置の第２の実施形態の図である。
【図３】図２に示されるようなミラー装置の代替の実施形態の図である。
【図４】図１に示されるようなミラー装置の代替の実施形態の図である。
【図５】２人用の図４に示されるようなミラー装置の別の実施形態の図である。
【図６】反射鏡パネルを有する本発明に係るミラーキャビネットモジュールの図である。
【図７】反射鏡および視野表面を有する本発明に係るミラーキャビネットの図である。
【図８】図６からのミラー装置の別の実施形態の図である。
【図９】図７からのミラー装置の別の実施形態の図である。
【図１０】図８からのミラー装置の代替の実施形態の図である。
【図１１】図９からのミラー装置の別の代替の実施形態の図である。
【図１２】拡散器表面の顕微鏡画像の図である。
【図１３】拡散器表面の第２の顕微鏡画像の図である。
【図１４】拡散器表面の第３の顕微鏡画像の図である。
【図１５】２つの視野範囲を有するミラー装置の代替の実施形態の図である。
【図１６】１つのみの視野範囲を有する図６からのミラー装置の代替の実施形態の図である。
【図１７】裏側に鏡を有する拡散器表面の断面図である。
【発明を実施するための形態】
【００５５】
図１は、ミラーキャビネットの形態のミラー装置１の概略図を示す。ミラー装置は、光源３、スクリーン４、および反射鏡５を含む。光源３は好ましくは照明器具壁１７の溝内に配置される。さらに、光源３は溝内で拡散器ガラス板で覆われている。光源３が溝内に配置される場合は、溝の側壁がスクリーン４を形成する。そうでない場合は、付加的なスクリーン４が形成される。光源３はこうして反射鏡５上に光を照射し、反射鏡５は次に当該光を人物２上に反射する。スクリーン４は、光源３から人物２に直接光が伝わることができないように光源３と人物２との間に配置される。光源３は好ましくはＬＥＤである。反射鏡５は、光源３からの光を散乱させる拡散器表面８を有する。拡散器表面８は空洞、特に凹型の空洞を有し、当該空洞は光がランダムに散乱するようにさまざまなサイズおよび深さである。反射鏡５は拡散器表面８と反対側に反射層９を有し、反射層９は好ましくは銀層で構成される。そのような反射鏡によって光損失がほとんどなくなり、影のない柔らかな光が得られる。ミラー装置１は、物体を収容するためのキャビネットとして設計される本体１１をさらに含む。この目的のために、本体１１は棚を含んでもよい。本体１１は、側壁１６、照明器具壁１７、および後壁を含む。反射鏡５はスイベルヒンジを介して側壁１６に取付けられる。このため、反射鏡５は揺動して開閉可能である。反射鏡５は視野範囲６とともに翼部７を形成する。視野範囲６は、人物２が鏡に映った自分自身を見ることができる範囲である。視野範囲は反射鏡に接着剤で接合されてもよいし反射鏡５の一部であってもよく、これによって視野範囲は拡散器表面８を含まない。ミラー装置１は開位置で示されている。光源３と反射鏡５との間の距離Ａは反射鏡５の直線の伸長部ＬＲよりも大きい。このミラー装置の詳細な点は以下の図面にも示されているので、以下に説明は繰り返さない。
【００５６】
図２は図１に対応するが、本体１１がなく後壁１０があるという点が異なっている。後壁１０は、いくつかの視野範囲が存在するように鏡であってもよい。そのようなミラー装置１は、たとえば試着室で、または個人の家庭の全身用鏡として用いられ得る。
【００５７】
図３は、図２に示されるようなミラー装置１の代替の設計を示す。ミラー装置１は、共通のスクリーン４の後ろに配置された２つの光源３を有する。スクリーン４は、人物２が鏡に映った自分自身を見ることができる視野表面６でもある。光源３の各々は翼部７の反射鏡５上に光を照射する。反射鏡５は、当該光を横から人物２上に反射する。同時に、翼部７は後部視野範囲１４を含み、当該範囲において人物２は他の既存の視野範囲６，１４を用いて後ろから自分自身を見ることができる。両方の翼部７は回転可能に装着され、開閉可能である。この図は開位置に対応する。閉じられると、翼部７と視野表面６とがつながって共通の鏡面を形成する。この目的のために、翼部７は後側に鏡面を有する。後側は、翼部７の拡散器表面８の反対側に対応する。
【００５８】
図４は、図３と同様に適合されている図１からのミラーキャビネットのバージョンを示す。ここでは、２つの照明器具壁１７および２つの側壁１６、ならびに本体１１が形成されている。したがって、本体１１は、たとえば棚上に配置され得る物体を収容することができる。側壁１６は回転可能に翼部７に接続される。つまり、両方の翼部７が開閉可能である。
【００５９】
図３および図４の両方において、翼部７は、閉じられると視野範囲６に重なるように設計され得る。この目的のために、各翼部７を視野範囲６の延在部の半分だけ延ばすことによって、翼部７の自由端が閉状態において互いに実質的に接触して視野範囲６を覆うことになる。
【００６０】
図５は、図４に示されるような２つのミラー装置１の組合せを示しており、２人の人物が最適に照らされた自分自身の鏡像を同時に見ることができる。
【００６１】
図６は、反射鏡５を有する本発明に係るミラーキャビネットモジュールを示しており、反射鏡５は高さ軸Ｈの周りに回転可能なように本体１１に取付けられる。ミラーキャビネットモジュールは回転可能なように本体１１に装着される。本体１１は側壁１６および照明器具壁１７を含む。照明器具壁１７は溝内に光源３（図示せず）を含む。照明器具壁１７の溝はスクリーン４（図示せず）でもある。視野範囲６は本体１１の後壁でもある。あるいは、ミラーモジュールの隣に配置されるさらなる反射鏡５の後側を視野範囲６として用いることもできる。反射鏡５の後側は鏡面でもある。
【００６２】
図７は図６からのモジュールを示しており、反射鏡表面５は拡大ミラー１５をさらに有する。あるいは、拡大ミラー１５は通常の視野範囲６のみであってもよい。
【００６３】
図８は、図６に示されるようなミラーモジュールを含むミラー装置１を示す。ミラー装置は合計２つの翼部を含み、２つの翼部の各々が反射鏡表面５を含む。中央の鏡面が視野範囲６である。図８に係る図示はやはり図４からの断面図に対応しているので、反射鏡５は後部視野範囲をまったく含んでいない。
【００６４】
図９は図８からのミラー装置１に対応する。反射鏡５はさらに拡大ミラー１５を囲んでいる。
【００６５】
図１０は図４の断面図に対応し、ミラー装置１は２つの翼部および１つの視野範囲６を含む。各翼部は反射鏡５および後方視野範囲１４を有する。中央の領域が視野範囲６であり、この前で人物２（図示せず）は、両方の翼部７を開くと両側から横に照らされた自分自身を見ることができる。
【００６６】
図１１は図１０からの設計に対応し、図１１に係るミラー装置１は後方視野範囲１４上に拡大ミラー１５をさらに含む。拡大ミラー１５は後方視野範囲１４の領域上に接着剤で接合される。
【００６７】
図１２は拡散器表面８の顕微鏡画像を示す。拡散器表面８は液体またはペースト状のエッチング液で処理されて空洞を形成している。空洞は、さまざまな形状および深さ、ならびにさまざまな膨張を有する。個々の空洞の最大膨張は１００μｍ未満である。空洞の深さは３０μｍ未満の範囲内である。光はそのような表面によって最適に散乱し、影は生じない。
【００６８】
図１３は、第２の画像における図１２に係る拡散器表面８に対応する。
図１４は拡散器表面８の顕微鏡画像に対応し、この場合、表面は発泡エッチング液で処理されている。発泡によって、角度のある空洞の数が少なくなるため、空洞のより大きい膨張およびより柔らかな表面が得られる。さらに、発泡エッチングによって生じる空洞は、液体エッチング剤でエッチングされた空洞よりもいくらか平坦である。エッチングペーストまたはエッチングクリームをエッチングに用いることもできる。たとえば、二フッ化水素アンモニウムおよび／またはフッ化水素酸をエッチング剤として用いることができる。
【００６９】
図１５は、ヒンジ式の鏡の形態のミラー装置１を示す。ミラー装置は、２つの光源３、２つのスクリーン４、および２つの反射鏡５を含む。光源３は好ましくは照明器具壁１７の溝内に配置される。さらに、光源３は溝内で拡散器ガラス板で覆われてもよい。光源３が溝内に配置される場合は、溝の側壁がスクリーン４を形成する。そうでない場合は、付加的なスクリーン４が形成される。したがって各光源３は対応する反対側の反射鏡５上に光を照射し、反射鏡５は次に当該光を人物２上に反射する。スクリーン４は、光源３から人物２に直接光が伝わることができないように光源３と人物２との間に配置される。光源３は好ましくはＬＥＤである。反射鏡５は、光源３からの光を散乱させる拡散器表面８を有する。拡散器表面８は空洞、特に凹型の空洞を有し、当該空洞は光がランダムに散乱するようにさまざまなサイズおよび深さである。反射鏡５は拡散器表面８と反対側に反射層９（図１７参照）を有し、反射層９は好ましくは銀層で構成される。そのような反射鏡では光損失がほとんどなく、影のない柔らかな光が得られる。ミラー装置１は本体１１をさらに含む。本体の後壁は視野範囲６である。本体１１は２つの照明器具壁１７をさらに含む。反射鏡５はスイベルヒンジによって照明器具壁１７に取付けられる。したがって、反射鏡５は揺動して開閉可能である。反射鏡５は翼部７を形成する。視野範囲６は、人物２が鏡に映った自分自身を見ることができる範囲である。視野範囲６は拡散器表面８を含まない。反射鏡５の一部のみに拡散器表面８が設けられてもよく、この場合、翼部の外側領域は後方視野範囲１４として設計される。この場合、後方視野範囲１４内の観察者には光源３が直接見えないので、グレアが防止される。ミラー装置１は開位置で示されている。光源３と、その反対側に位置している対応する反射鏡５との間の距離Ａは、反射鏡５の直線の伸長部ＬＲよりも大きい。このミラー装置の詳細な点は先の図面にも既に示されているので、以下に説明は繰り返さない。
【００７０】
図１６は図１５と同様のミラー装置を示しており、２つの光源３および２つの反射鏡５の代わりに１つのみの光源３および１つのみの反射鏡５がそれぞれ形成されている。
【００７１】
図１７は反射鏡５の構造の断面図を示しており、拡散器表面８がガラス層１９上に形成されている。ガラス層１９はその裏側に反射層９を有しており、反射層９は銀層によって形成されている。アルミニウムなどの他の反射材料も考えられる。当該反射層は保護層２０によって保護されている。たとえば接着層である接続層２１が保護層２０を第２の保護層２０に接続しており、第２の保護層２０は次に第２の反射層９を保護している。第２の反射層９は、両面ミラーが形成されるようにさらなるガラス層１９に覆われており、そのために拡散器表面８は一方側にのみ形成されている。
【図１】
2020507441.tif 000003
【図２】
2020507441.tif 000004
【図３】
2020507441.tif 000005
【図４】
2020507441.tif 000006
【図５】
2020507441.tif 000007
【図６】
2020507441.tif 000008
【図７】
2020507441.tif 000009
【図８】
2020507441.tif 000010
【図９】
2020507441.tif 000011
【図１０】
2020507441.tif 000012
【図１１】
2020507441.tif 000013
【図１２】
2020507441.tif 000014
【図１３】
2020507441.tif 000015
【図１４】
2020507441.tif 000016
【図１５】
2020507441.tif 000017
【図１６】
2020507441.tif 000018
【図１７】
2020507441.tif 000019
【国際調査報告】
2020507441.tif 000020
2020507441.tif 000021
2020507441.tif 000022
2020507441.tif 000023
2020507441.tif 000024
2020507441.tif 000025
2020507441.tif 000026
2020507441.tif 000027
2020507441.tif 000028
2020507441.tif 000029